(57)【特許請求の範囲】
【請求項１】
粉原料を湯水と混合する混合器に前記粉原料を供給する飲料供給装置の粉原料供給装置において、
前記粉原料を前記混合器へ供給するシュートと、
前記シュートの取付側に延出して設けられ、先細になった先端部、及びこの先端部との間に切欠部を有した係合部を備えた取付金具と、
前記シュートを昇降させる回動動作を行う枢軸部材と、
前記枢軸部材の一端に設けられ、前記取付金具の前記係合部を弾性的に押し付ける弾性部材、及び前記弾性部材との間に前記取付金具の前記先端部が挿入される挿入間隔を形成し、この挿入間隔に前記取付金具の前記先端部が挿入されたとき、前記弾性部材によって押し付けられるように前記係合部の前記切欠部に嵌合する突出部を備えた固定手段を有してなり、
前記シュートは、前記弾性部材に圧接されることによって前記固定手段の前記突出部を支点としてシュート下端部が支持部材に付勢されてなることを特徴とする飲料供給装置の粉原料供給装置。
【発明の詳細な説明】
【０００１】
【発明の属する技術分野】
本発明は飲料供給装置の粉原料供給装置に関し、特に、振動等の外力が加わっても外れにくく、着脱性に優れ、ガタのない飲料供給装置の粉原料供給装置に関する。
【０００２】
【従来の技術】
従来、粉末状、粒状の原料と湯水を混合してカップに供給する飲料供給装置が知られている。
【０００３】
このような飲料供給装置において、上記した粉末状、粒状の原料と湯水を混合するミキシングボールを有するものがある。このミキシングボールは、選択された飲料に応じて原料貯蔵部から粉原料シュートを介して供給される原料と、湯水の供給部から供給される湯水をモータに装着された攪拌羽で攪拌し、混合された飲料をカップに供給している。
【０００４】
粉原料シュートは、落下方向に断面が縮小された形状を有し、原料貯蔵部から落下する粉原料を内壁面に沿ってミキシングボールに誘導する。この内壁面に粉原料が付着すると原料の供給不良を生じることがある。また、内壁面に付着した原料の堆積物が変質すると衛生上の不具合を生じることから、粉原料シュートを着脱可能な構造として定期的な清掃が行えるようにしている。
【０００５】
着脱可能な粉原料シュートを有する飲料供給装置として、例えば、実開平６−１９０９３号公報に開示されるものがある。この飲料供給装置は、突起を有する取付片を備えた粉原料シュートと、取付片の突起と係合する孔を備えた飲料供給装置側の取付部材を有し、取付片で取付部材を挟持するとともに取付片の突起と取付部材の孔を係合させて粉原料シュートを飲料供給装置に固定している。
【０００６】
上記したミキシングボールを有する飲料供給装置として、ミキシングボールの内壁に付着した原料の滓を除去するためにミキシングボール内に湯を満たして内壁を洗浄するものがある。この飲料供給装置では、ミキシングボールの洗浄時にシュートの下端が湯に浸かることを防ぐために、また、立ち上がる湯気で粉原料シュートの内壁面が湿らないように粉原料シュートを上昇させてミキシングボールから遠ざけている。
【０００７】
図６は、従来の飲料供給装置における粉原料供給装置の支持構造を示し、所定の方向に枢軸運動が可能に支持される粉原料シュート支持部材１１と、粉原料シュート支持部材１１を枢軸的に支持する軸１１Ａと、粉原料シュート支持部材１１に設けられるシュート受け金具１１Ｂと、シュート受け金具１１Ｂの所定の位置に設けられる角孔１１Ｃと、粉末状、粒状の原料を垂直方向に落下させて供給する粉原料シュート１２と、粉原料シュート１２の上方に固定された取付けフック１２ａと、取付けフック１２ａに設けられる切欠部１２ｂと、粉原料シュート支持部材１１と粉原料シュート１２との間に設けられる仕切り板５と、仕切り板５に設けられる開口５Ａを有し、粉原料シュート１２は、矢印で示すように開口５Ａ及び角孔１１Ｃに挿通させた取付けフック１２ａをシュート受け金具１１Ｂに掛止している。
【０００８】
図７は、従来の飲料供給装置における粉原料供給装置の動作を示し、ミキシングボールの洗浄を行うとき、粉原料シュート支持部材１１は、モータによって回転するカム（図示せず）によって軸１１Ａを軸とするＡ方向に回動する。粉原料シュート１２は、粉原料シュート支持部材１１がＡ方向に回動することによってＢ方向に上昇する。この上昇によって、粉原料シュート１２の先端部Ｔをミキシングボール( 図示せず）から遠ざける。洗浄後、粉原料シュート１２は、粉原料シュート支持部材１１がＡ’方向に回動することによってＢ’方向に下降する。この下降によって、粉原料シュート１２の先端部Ｔをミキシングボール（図示せず）に接近した所定の位置に配置する。
【０００９】
【発明が解決しようとする課題】
しかし、従来の飲料供給装置の粉原料供給装置によると、取付けフックの寸法より大なる寸法で形成された角孔に取付けフックを挿通させて切欠部をシュート受け金具に掛止しているため、掛止される取付けフックと角孔の間にガタが生じ、粉原料シュートの垂直方向への移動時に姿勢が安定しないという問題がある。また、運搬時等に飲料供給装置に衝撃が加わると振動で粉原料シュートが取付けフックから外れ易い他、粉原料シュートと他の部分との間に手や物を挟んだときの裕度に欠けることから、怪我や故障の原因になる。
従って、本発明の目的は姿勢保持性に優れ、装着性が確実かつ容易でガタを生じることのない飲料供給装置の粉原料供給装置を提供することにある。
【００１０】
【課題を解決するための手段】
本発明は上記目的を達成するため、粉原料を湯水と混合する混合器に前記粉原料を供給する飲料供給装置の粉原料供給装置において、前記粉原料を前記混合器へ供給するシュートと、前記シュートの取付側に延出して設けられ、先細になった先端部、及びこの先端部との間に切欠部を有した係合部を備えた取付金具と、前記シュートを昇降させる回動動作を行う枢軸部材と、前記枢軸部材の一端に設けられ、前記取付金具の前記係合部を弾性的に押し付ける弾性部材、及び前記弾性部材との間に前記取付金具の前記先端部が挿入される挿入間隔を形成し、この挿入間隔に前記取付金具の前記先端部が挿入されたとき、前記弾性部材によって押し付けられるように前記係合部の前記切欠部に嵌合する突出部を備えた固定手段を有してなり、前記シュートは、前記弾性部材に圧接されることによって前記固定手段の前記突出部を支点としてシュート下端部が支持部材に付勢されてなることを特徴とする飲料供給装置の粉原料供給装置を提供する。
【００１１】
上記する飲料供給装置の粉原料供給装置において、枢軸部材は、固定手段が設けられる一端と反対側の端部に枢軸点を有し、この枢軸点を支点とする回動によってシュートを所定の姿勢で昇降させることが好ましい。
【００１２】
【発明の実施の形態】
以下、本発明の飲料供給装置の粉原料供給装置を図面を参照して詳細に説明する。
【００１３】
図１は、本発明の実施の形態における飲料供給装置を部分的に示し、飲料に応じた粉原料を貯蔵する粉原料貯蔵部１と、貯蔵されている粉原料を供給する粉原料供給部２と、粉原料供給部２に設けられる粉原料の送り出し機構（図示せず）を回転させる回転軸３と、回転軸３に伝達される回転力を所定の回転速度に減速して伝達する減速部４と、減速部４を固定する支持板５と、回転軸３に伝達される回転力を発生させるモータ６と、粉原料シュート部８を垂直方向に移動させる可動部７と、粉原料供給部２から粉原料シュート部８を介して供給される粉原料と湯水を攪拌して混合するミキシングボール９部を有する。
【００１４】
粉原料貯蔵部１は、飲料に応じて分割された貯蔵容器１Ａ，１Ｂ，１Ｃ，１Ｄ，１Ｅ，１Ｆ，及び１Ｇを有する。粉原料供給部２は、貯蔵容器１Ａ，１Ｂ，１Ｃ，１Ｄ，１Ｅ，１Ｆ，及び１Ｇから粉原料を送り出す粉原料供給口２Ａ，２Ｂ，２Ｃ，２Ｄ，２Ｅ，２Ｆ，及び２Ｇを有する。粉原料供給部２の下方に配置される粉原料シュート部８は、粉原料供給口２Ａ，２Ｂ，２Ｃ，２Ｄ，２Ｅ，２Ｆ，及び２Ｇから送り出される粉原料を受けるシュート８Ａ，８Ｂ，８Ｃ，８Ｄ，及び８Ｅを有し、シュート８Ｅは粉原料供給口２Ｅ，２Ｆ，及び２Ｇから送り出される粉原料を受容するように形成されている。また、シュート８Ａ，８Ｂ，８Ｃ，８Ｄ，及び８Ｅは、取付片８ａによって支持板５の下部に配置される可動部７に開口５Ａを介して装着されている。可動部７は、軸７Ａによって飲料供給装置の本体に枢軸的に支持されており、先端部に設けられる可動片７Ｂと固定片７Ｃによってシュート８Ａ，８Ｂ，８Ｃ，８Ｄ，及び８Ｅに設けられる取付片８ａを弾性的に把持している。ミキシングボール部９は、シュート８Ａ，８Ｂ，８Ｃ，８Ｄ，及び８Ｅを介してミキシングボール９Ａ，９Ｂ，９Ｃ，９Ｄ，及び９Ｅに供給される粉原料と湯水を攪拌し、混合された飲料を飲料供給パイプ９ａを介して供給する。ミキシングボール９Ａ，９Ｂ，９Ｃ，９Ｄ，及び９Ｅにおける粉原料と湯水の攪拌は、台１０ａに装着された攪拌モータ１０Ａ，１０Ｂ，１０Ｃ，１０Ｄ，及び１０Ｅによって行われる。同図においてはミキシングボール９Ｅに装着された攪拌モータ１０Ｅのみを図示しているが、他のミキシングボール９Ａ，９Ｂ，９Ｃ，及び９Ｄについても同様の構成を有している。
【００１５】
可動部７は、モータによって回転するカム（図示せず）によって軸７Ａを軸とする枢軸運動が可能な構成を有し、先端部に設けられる可動片７Ｂと固定片７Ｃによって把持されたシュート８Ａ，８Ｂ，８Ｃ，８Ｄ，及び８Ｅを垂直方向に移動させる。
【００１６】
図２は、図１に示す飲料供給装置をシュート８Ｅ側方向より示す。シュート８Ｅの取付片８ａは、先端方向に傾斜を有する傾斜部８ｂと、先端方向に傾斜を有するとともに切欠部８ｃを設けられた傾斜部８ｄを有する。シュート８Ｅの取付けを行うときは、飲料供給装置の正面方向から支持板５の開口５Ａを介して取付片８ａを可動部７に設けられる可動片７Ｂと固定片７Ｃの間に挿入する。可動部７の可動片７Ｂは、取付片８ａの挿入によって破線で示す状態に弾性変形する。固定片７Ｃは、可動片７Ｂの弾性変形に基づいて傾斜部８ｄの通過を許容し、切欠部８ｃと係合することによって取付片８ａを拘束する。
【００１７】
図３は、シュート８Ｅの可動部７への装着状態をシュート正面方向より示し、所定の間隔を持って配置されるシュート８Ｅの取付片８ａは、傾斜部８ｂが可動片７Ｂと圧接し、切欠部８ｃを固定片７Ｃに係合させている。
【００１８】
図４は、可動部７に取付片８ａが把持された状態を部分的に示し、取付片８ａは、可動部７の可動片７Ｂによって傾斜部８ｂに垂直な方向に弾性力Ｆ1 が付与される。弾性力Ｆ1 の分力Ｆ2 は固定片７Ｃの方向に付与される。また、弾性力Ｆ1 の分力Ｆ3 は取付片８ａの挿入方向と逆方向に付与される。このことから、取付片８ａの切欠部８ｃは、可動片７Ｂによって付加される分力Ｆ2 ，Ｆ3 に基づいて固定片７Ｃに圧接されることによりガタの発生が防止され、シュート８Ｅに加えられる外力を固定片７Ｃを軸とする回転動作に変換する。この回転時においても傾斜部８ｂは可動片７Ｂによって弾性的に支持される。
【００１９】
図５は、シュート８Ｅの昇降動作を示し、ミキシングボール（図示せず）の洗浄を行うとき、可動部７は図示しないアクチュエータの動作によって軸７Ａを軸とするＡ方向に回動する。シュート８Ｅは、可動部７の回動に基づいて位置Ｂまで上昇する。このとき、シュート８Ｅは、可動部７の固定片７Ｃを支点として可動片７Ｂを取付片８ａの傾斜部８ｂに沿って滑らせながら上昇する。洗浄後、可動部７は軸７Ａを軸とするＡ’方向に回動することによってシュート８Ｅを位置Ｂ’まで下降させる。シュート８Ｅは、上記した昇降時に固定片７Ｃを支点として弾性的に支持されることで支持板５に設けられる支持部材５Ｂに下部が付勢され、そのことによって安定した姿勢に維持される。
【００２０】
また、シュート８Ｅとミキシングボール９Ｅとの間に手や物が挟まれた場合、可動部７の可動片７Ｂが弾性変形してシュート８Ｅの位置をずらすことから、怪我や損傷を防ぐことができる。
【００２１】
上記した飲料供給装置の粉原料供給装置によると、可動片と固定片を有する可動部でシュートを支持するようにしたので、垂直方向への移動時におけるシュートの姿勢を安定した状態で保持することができる。また、可動片と固定片によってシュートの取付片を把持することから確実な装着性が得られるとともにガタを生じにくい構造としている。
【００２２】
上記した実施の形態では、可動部を可動片と固定片で構成してシュートに設けられる取付片を把持しているが、可動部に取付片を設け、シュートに可動片と固定片を設ける構成としても良い。
【００２３】
【発明の効果】
以上説明した通り、本発明の飲料供給装置の粉原料供給装置によると、先細になった先端部、及びこの先端部との間に切欠部を有した係合部を備えたシュートの取付金具と、弾性部材及び取付金具の切欠部に嵌合する突出部を形成した固定手段を有する枢軸部材によってシュートを装着するようにしたため、粉原料シュートの姿勢保持性に優れ、装着性が確実かつ容易でガタを生じないようにすることができる。
【図面の簡単な説明】
【図１】本発明の実施の形態における飲料供給装置の斜視図。
【図２】本発明の実施の形態における粉原料供給装置の側面図。
【図３】本発明の実施の形態における粉原料供給装置の部分拡大図。
【図４】本発明の実施の形態における粉原料供給装置の部分拡大図。
【図５】本発明の実施の形態における粉原料供給装置の動作を示す説明図。
【図６】従来の飲料供給装置の粉原料供給装置を示す側面図。
【図７】従来の飲料供給装置の粉原料供給装置を示す側面図。
【符号の説明】
１，粉原料貯蔵部
１Ａ〜１Ｇ，貯蔵容器
２，粉原料供給部
２Ａ〜２Ｇ，粉原料供給口
３，回転軸
４，減速部
５，支持板
５Ａ，開口
６，モータ
７，可動部
７Ａ，軸
７Ｂ，可動片
７Ｃ，固定片
８，粉原料シュート部
８Ａ〜８Ｅ，シュート
８ａ，取付片
８ｂ，傾斜部
８ｃ，切欠部
８ｄ，傾斜部
９，ミキシングボール部
９Ａ〜９Ｅ，ミキシングボール
９ａ，飲料供給パイプ
１０，攪拌モータ
１０ａ，台
１０Ｅ，攪拌モータ
１１，粉原料シュート支持部材
１１Ａ，軸
１１Ｂ，シュート受け金具
１１Ｃ，角孔
１２，粉原料シュート
１２ａ，取付けフック
１２ｂ，切欠部
【図１】
0003749016.tif 000002
【図２】
0003749016.tif 000003
【図３】
0003749016.tif 000004
【図４】
0003749016.tif 000005
【図５】
0003749016.tif 000006
【図６】
0003749016.tif 000007
【図７】
0003749016.tif 000008